【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
掘削システムであって、
井戸中心部を有する掘削デッキと、
掘削デッキに配備された掘削構造と、
掘削構造に配備され、第１チューブ状体を井戸中心部に向けて前進させる１次チューブ状体前進ステーションと、
第２チューブ状体が略垂直位置にあるとき、第２チューブ状体を第３チューブ状体と接続するスタンドアームを具える補助チューブ状体取扱いステーションと、
補助チューブ状体取扱いステーションに隣接して配置され、第２チューブ状体を、補助チューブ状体取扱いステーションへ案内する経路案内アームと、を具えており、
第１チューブ状体が井戸中心部に移動する際、第１チューブ状体は、スタンドアーム及び経路案内アームに接触することなく移動する、掘削システム。
【請求項２】
１次チューブ状体前進ステーションの上方に配置された第１チューブ状体ラッキングステーションと、
補助チューブ状体取扱いステーションの上方に配置された補助チューブ状体ラッキングステーションと、さらに具えている請求項１のシステム。
【請求項３】
１次チューブ状体前進ステーションは、第１チューブ状体を回転させるトップドライブを具えている請求項１又は２のシステム。
【請求項４】
１次チューブ状体前進ステーションは、第１チューブ状体を回転させる回転テーブルを具えている請求項１又は２のシステム。
【請求項５】
引き上げ用のくみ上げ機械をさらに具えている請求項１乃至４の何れかのシステム。
【請求項６】
１次チューブ状体前進ステーションは、井戸中心部から径方向外向きに配置された狭い出入り口をさらに具えている請求項１乃至５の何れかのシステム。
【請求項７】
経路案内アームは、狭い出入り口と井戸中心部との間で交差しないように制御される請求項６のシステム。
【請求項８】
経路案内アームは、狭い出入り口及び井戸中心部を含む第２平面に略平行な第１平面内で回転する請求項６のシステム。
【請求項９】
第２チューブ状体はドリルパイプである請求項１乃至８の何れかのシステム。
【請求項１０】
第２チューブ状体はケーシングである請求項１乃至８の何れかのシステム。
【請求項１１】
第２チューブ状体はライザー管である請求項１乃至８の何れかのシステム。
【請求項１２】
第２チューブ状体は生産用チュービングである請求項１乃至８の何れかのシステム。
【請求項１３】
第２チューブ状体はライナーである請求項１乃至８の何れかのシステム。
【請求項１４】
掘削システムであって、
井戸中心部を有する掘削デッキと、
掘削デッキに配備された掘削構造と、
第１チューブ状体を、略水平位置から、井戸中心部上方の略垂直位置へ前進させる１次チューブ状体前進ステーションと、
掘削構造に配備され、第２チューブ状体を取り扱うスタンドアームと、
スタンドアームに隣接して配置され、第２チューブ状体を、略水平位置から、スタンドアームに隣接した略垂直位置まで案内する経路案内アームと、を具えており、
スタンドアームと経路案内アームは、第１チューブ状体が井戸中心部の方へ前進するとき、１次チューブ状体前進ステーションから独立して作動するよう構成される、掘削システム。
【請求項１５】
掘削システムであって、
掘削デッキと、
掘削デッキに配置された掘削構造と、
井戸中心部を有し、掘削構造に配備されて第１チューブ状体を井戸中心部へ前進させる１次チューブ状体前進ステーションと、
第２チューブ状体を取り扱う補助チューブ状体取扱いステーションと、
前記掘削デッキは、補助チューブ状体取扱いステーションに配置され、第２チューブ状体を収容する準備孔を有しており、
第２チューブ状体を、準備孔上方の略垂直位置に配置する補助チューブ状体取扱い装置と、
補助チューブ状体取扱いステーションの上方に配置され、第２チューブ状体を、補助チューブ状体取扱いステーションから保持する補助チューブ状体ラッキングステーションであって、第１チューブ状体が１次チューブ状体前進ステーションを通り井戸中心部に向けて独立してかつ同時に前進するとき、第２チューブ状体は、準備孔に収容され、準備孔上方の略垂直位置に配置されるか又は補助チューブ状体ラッキングステーションにて保持されることができる補助チューブ状体ラッキングステーションと、
補助チューブ状体ラッキングステーションと井戸中心部との間で第２チューブ状体を移動させることができるブリッジラッカークレーンと、を具えており、
補助チューブ状体取扱い装置は、第２チューブ状体を、補助チューブ状体ラッキングステーションに直接配置できるように構成され、
補助チューブ状体取扱い装置は、ブリッジラッカークレーンとは独立してて動作可能である、掘削システム。
【請求項１６】
１次チューブ状体前進ステーションの上方に配置され、少なくとも１つのチューブ状体を、補助チューブ状体ラッキングステーションから受ける１次チューブ状体ラッキングステーションをさらに具えている請求項１５のシステム。
【請求項１７】
補助チューブ状体取扱い装置は、第２チューブ状体を、準備孔と補助チューブ状体ラッキングステーションの間で移動させるスタンドアームを具えている請求項１５又は１６のシステム。
【請求項１８】
ブリッジラッカークレーンは、第２チューブ状体を、１次チューブ状体ラッキングステーションと補助チューブ状体ラッキングステーションとの間を移動させることができるように構成される請求項１６又は１７のシステム。
【請求項１９】
ブリッジラッカークレーンは、第２チューブ状体を、井戸中心部と１次チューブ状体ラッキングステーションとの間を移動させることができるように構成される請求項１６乃至１８の何れかのシステム。
【請求項２０】
補助チューブ状体取扱い装置は、複数のチューブ状体を組み立てることができるように構成され、準備孔に移された複数のチューブ状体のうちの第１チューブ状体は、組み立てられたチューブ状体の最上部に位置する請求項１７乃至１９の何れかのシステム。
【請求項２１】
複数のチューブ状体をボアホールに移動させる方法であって、チューブ状体は、少なくとも一部は１次チューブ状体前進ステーションから、少なくとも一部は補助チューブ状体取扱いステーションから供給され、
(a)  掘削デッキ内の井戸中心部を通してボアホールを掘削するステップ、
(b)  少なくとも第１チューブ状体を、井戸中心部を通りボアホールの一部に進入させるステップ、及び
(c)  ステップ(a)及びステップ(b)を実行する時間のうちの少なくとも一部の間、(i)第２チューブ状体を、井戸中心部と交差しない案内経路の中を補助チューブ状体取扱いステーションに移動させるステップと、(ii)第２チューブ状体を移動させるステップの後、第２チューブ状体が掘削デッキ下方の略垂直位置にあるとき、第２チューブ状体の一部を下降させるステップと、を有しており、
ステップ(c)は、ステップ(a)及びステップ(b)と同じ時間の少なくとも一部の間、独立して実行され、ステップ(c)は略垂直な第１平面内で実行される、方法。
【請求項２２】
第１チューブ状体を、略垂直な第２平面内で、掘削デッキを越えて井戸中心部まで移動させるステップを更に含んでおり、第１平面は前記略垂直な第２平面と略平行である、請求項２１に記載の方法。
【請求項２３】
ステップ(b)及びステップ(c)は、本質的に同じ時間で完了する請求項２１又は２２に記載の方法。
【請求項２４】
第２チューブ状体を、第１の略水平位置から第２の略水平位置へ持ち上げるステップと、
第２チューブ状体を、第２の略水平位置から、補助チューブ状体取扱いステーションに隣接する掘削デッキの準備孔と略同一線上にある略垂直位置に案内するステップと、を更に含んでいる請求項２２又は２３に記載の方法。
【請求項２５】
第２チューブ状体を、準備孔と略同一線上にある垂直位置から外側に向けて移動させるステップを更に含んでいる請求項２４に記載の方法。
【請求項２６】
第３チューブ状体を、第１の略水平位置から第２の略水平位置へ持ち上げるステップと、
第３チューブ状体を、第２の略水平位置から、準備孔と同一線上にある略垂直位置へ案内するステップと、を更に含んでいる請求項２５に記載の方法。
【請求項２７】
補助チューブ状体取扱いステーションにて、第２チューブ状体と第３チューブ状体を接続するステップ、
接続されたチューブ状体を、準備孔と略同一線上にある垂直位置から外側に向けて移動させるステップと、を更に含んでいる請求項２６に記載の方法。
【請求項２８】
接続されたチューブ状体を、準備孔から第１チューブ状体ラッキングステーションへ持ち上げるステップを更に含んでいる請求項２７に記載の方法。
【請求項２９】
接続されたチューブ状体を、第１チューブ状体ラッキングステーションから、井戸中心部と略同一線上にある略垂直位置へ移動させるステップを更に含んでいる請求項２８に記載の方法。
【請求項３０】
接続されたチューブ状体を、第１チューブ状体ラッキングステーションから第２チューブ状体ラッキングステーションへ移動させるステップを更に含んでいる請求項２８に記載の方法。
【請求項３１】
第２チューブ状体は掘削パイプである請求項２１乃至３０の何れかに記載の方法。
【請求項３２】
第２チューブ状体はケーシングである請求項２１乃至３０の何れかに記載の方法。
【請求項３３】
第２チューブ状体は生産用チュービングである請求項２１乃至３０の何れかに記載の方法。
【請求項３４】
複数のチューブ状体を掘削デッキを通ってボアホールへ移動させる方法であって、複数のチューブ状体は、少なくとも一部が１次チューブ状体前進ステーションから供給され、少なくとも一部は補助チューブ状体取扱いステーションから供給され、
(a) 掘削デッキ内で井戸中心部を通るボアホールを掘削するステップ；
(b) 少なくとも第１チューブ状体を、１次チューブ状体前進ステーションから井戸中心部を通り、ボアホールの一部に進入させるステップ；
(c) ステップ(a)及びステップ(b)を実行する時間の少なくとも一部の間、(i)第２チューブ状体を、経路案内アームにより、案内経路の中を井戸中心部と交差しないように移動させるステップ、(ii)第２チューブ状体を移動させるステップの後、第２チューブ状体の一部を、経路案内アームにより、掘削デッキ内の準備孔の中に配置するステップと、を有しており、ステップ(c)は、ステップ(a)及びステップ(b)と同じ時間の少なくとも一部の間、独立して実行され、ステップ(a)乃至(c)の間、第１チューブ状体は経路案内アームとは接触しない、方法。
【請求項３５】
第２チューブ状体を移動させるステップは、第２チューブ状体を、井戸中心部及び該井戸中心部の径方向外向きに配置された狭い出入り口を含む第２平面と略平行な第１平面内を案内するステップを含んでいる請求項３４の方法。
【請求項３６】
複数のチューブ状体を掘削デッキからボアホールへ移動させる方法であって、少なくとも一部は１次チューブ状体前進ステーションから実行され、少なくとも一部は補助チューブ状体取扱いステーションから実行され、
(a) 掘削デッキ内に井戸中心部を通るボアホールを掘削するステップ；
(b) 第１チューブ状体を、１次チューブ状体前進ステーションにより、井戸中心部を含む略垂直な第１平面内で井戸中心部へ移動させるステップ；
(c) ステップ(a)及びステップ(b)を実行する時間の少なくとも一部の間、(i) 第２チューブ状体を、第１平面と交差しないように、略垂直な第２平面内で案内経路内を移動させるステップ；(ii) 第２チューブ状体の一部を、掘削デッキ内の第２平面内の準備孔の中に配置するステップ；(iii) 第２チューブ状体を、補助チューブ状体ラッキングステーションへ持ち上げるステップを含んでおり、ステップ(c)は、ステップ(a)及びステップ(b)と同じ時間の少なくとも一部の間、独立して実行される、方法。
【請求項３７】
第２チューブ状体を移動させるステップは、
第２チューブ状体を、井戸中心部及び該井戸中心部の径方向外向きに配置された狭い出入り口を含む第１平面と略平行な第２平面内で回転させるステップを含んでいる請求項３６の方法。
【請求項３８】
複数の補助チューブ状体を、補助チューブ状体取扱いステーションの中で接続するステップ、及び
接続されたチューブ状体を、補助チューブ状体取扱いステーションから補助チューブ状体ラッキングステーションまで持ち上げるステップをさらに含んでいる請求項３６又は３７の方法。
【請求項３９】
接続されたチューブ状体を、補助チューブ状体ラッキングステーションから、井戸中心部と略同一線上の位置へ移動させるステップをさらに含んでいる請求項３８の方法。
【請求項４０】
接続されたチューブ状体を、補助チューブ状体ラッキングステーションから、１次チューブ状体ラッキングステーションへ移動させるステップをさらに含んでいる請求項３８の方法。
【請求項４１】
第２チューブ状体は掘削パイプである請求項３６乃至４０の何れかに記載の方法。
【請求項４２】
第２チューブ状体はケーシングである請求項３６乃至４０の何れかに記載の方法。
【請求項４３】
第２チューブ状体は生産用チュービングである請求項３６乃至４０の何れかに記載の方法。
【請求項４４】
掘削システムであって、
井戸中心部を有する掘削デッキと、
掘削デッキに配置された掘削構造と、
第１チューブ状体を、略水平位置から井戸中心部上方の略垂直位置へ前進させる１次チューブ状体前進ステーションと、
掘削構造に配備され、第２チューブ状体が略垂直位置にあるとき、第２チューブ状体を第３チューブ状体と接続するスタンドアームであって、１次チューブ状体前進ステーションが、第１チューブ状体を井戸中心部の方へ前進させている間、１次チューブ状体前進ステーションとは独立して作動するよう構成されたスタンドアームと、
スタンドアームに隣接して、掘削デッキ上方に持ち上げられ、第２チューブ状体をスタンドアームから保持する第１チューブ状体ラッキングステーションと、
第１チューブ状体ラッキングステーションと井戸中心部の間で第２チューブ状体を移動させることができるように構成されたブリッジラッカークレーンと、を具えており、スタンドアームは、第２チューブ状体を第１チューブ状体ラッキングステーションに直接配置できるように構成された、掘削システム。
【請求項４５】
掘削デッキ上方に配置され、第２チューブ状体を保持する第２チューブ状体ラッキングステーションを更に具えており、ブリッジラッカークレーンは、第２チューブ状体を、第２チューブ状体ラッキングステーション及び第１チューブ状体ラッキングステーションとの間で移動させることができるように構成された請求項４４に記載のシステム。
【請求項４６】
掘削システムであって、
掘削デッキと、
掘削デッキに配置された掘削構造と、
井戸中心部を有し、掘削構造に配備され、第１チューブ状体を井戸中心部へ前進させる１次チューブ状体前進ステーションと、
第２チューブ状体を取り扱う補助チューブ状体取扱いステーションと、
第２チューブ状体を略垂直位置に配置する補助チューブ状体取扱い装置と、
補助チューブ状体取扱いステーションの上方に持ち上げられ、第２チューブ状体を補助チューブ状体取扱いステーションから保持する第１チューブ状体ラッキングステーションであって、第２チューブ状体は、第１チューブ状体が１次チューブ状体前進ステーションを通り、前記井戸中心部へ前進する間、掘削デッキ上方の略垂直位置に配置され、第１チューブ状体ラッキングステーションに保持される第１チューブ状体ラッキングステーションと、
第２チューブ状体を、第１チューブ状体ラッキングステーションと井戸中心部との間で移動させるブリッジラッカークレーンと、を具えており、補助チューブ状体取扱い装置は、第２チューブ状体を前記第１チューブ状体ラッキングステーションに直接配置できるように構成され、ブリッジラッカークレーンとは独立して作動する、掘削システム。
【請求項４７】
掘削デッキの上方に配置され、第２チューブ状体を保持する第２チューブ状体ラッキングステーションを更に具えており、ブリッジラッカークレーンは、第２チューブ状体を第２チューブ状体ラッキングステーション及び井戸中心部との間で移動させることができるように構成される請求項４６に記載のシステム。
【請求項４８】
補助チューブ状体取扱いステーションはスタンドアームを具え、システムは、スタンドアームに隣接して配置され、第２チューブ状体を、略水平位置からスタンドアームに隣接した略垂直位置へ案内する経路案内アームを更に具えており、スタンドアーム及び経路案内アームは、１次チューブ状体前進ステーションが第１チューブ状体を井戸中心部へ前進させる間、１次チューブ状体前進ステーションとは独立して作動するよう構成される請求項４７のシステム。
【請求項４９】
スタンドアームは、ブリッジラッカークレーンとは独立して作動する請求項４８に記載のシステム。
【請求項５０】
第１チューブ状体はスタンドアームとは接触しない請求項４８又は４９に記載のシステム。
【請求項５１】
第１チューブ状体は、スタンドアーム及び水平位置から垂直位置へ案内する経路案内アームと接触しない請求項４８又は４９に記載のシステム。
【請求項５２】
スタンドアームは、ブリッジラッカークレーンとは独立して作動する請求項４８乃至５１の何れかに記載のシステム。
【請求項５３】
複数のチューブ状体を掘削デッキからボアホールへ移動させる方法であって、少なくとも一部は１次チューブ状体前進ステーションから実行され、少なくとも一部は補助チューブ状体取扱いステーションから実行され、
(a) 掘削デッキ内で井戸中心部を通るボアホールを掘削するステップ；
(b) 第１チューブ状体を、１次チューブ状体前進ステーションにより、井戸中心部へ移動させるステップ；
(c) ステップ(a)及びステップ(b)を実行する時間の少なくとも一部の間、(i) 第２チューブ状体を井戸中心部と交差しないように移動するステップ、(ii) 第２チューブ状体を移動させるステップの後、第２チューブ状体が略垂直位置にあるときに、第２チューブ状体を第３チューブ状体と接続するステップ、(iii) 接続された第２チューブ状体及び第３チューブ状体を、スタンドアームを用いて、掘削デッキ上方に上昇したチューブ状体ラッキングステーションに持ち上げるステップ、及び(iv) 持ち上げるステップの後、接続された第２チューブ状体及び第３チューブ状体をスタンドアームから直接チューブ状体ラッキングステーションに吊すステップと、を含んでおり、ステップ(c)は、ステップ(a)及びステップ(b)と同じ時間の少なくとも一部の間、独立して行われ、第１チューブ状体は、ステップ(a)乃至ステップ(c)の間、スタンドアームとは接触しない、方法。
【請求項５４】
第２チューブ状体を移動させるステップ及び第２チューブ状体を第３チューブ状体に接続するステップは、略垂直な第１平面内で行われる請求項５３に記載の方法。
【請求項５５】
第１チューブ状体は、第２平面内で掘削デッキを通り、井戸中心部へ移動し、第１平面は第２平面に略平行である請求項５４に記載の方法。
【請求項５６】
第２チューブ状体を移動させるステップは、第２チューブ状体を、掘削デッキを通り井戸中心部へ移動する第１チューブ状体を含む第２平面に略平行な第１平面内で回転させるステップを含んでいる請求項５３乃至５５の何れかに記載の方法。
【請求項５７】
第２チューブ状体を、第１の略水平位置から第２の略水平位置へ持ち上げるステップと、
第２チューブ状体を、第２の略水平位置から、掘削デッキの準備孔と略同一線上にある略垂直位置に案内するステップと、を更に含んでいる請求項５３乃至５６の何れかに記載の方法。
【請求項５８】
第２チューブ状体を、井戸中心部と交差しない案内経路内をスタンドアームへ移動させるステップ、及び
第２チューブ状体を案内経路内を移動させるステップの後、第２チューブ状体が掘削デッキ下方の略垂直位置にある間、第２チューブ状体の一部を下降させるステップ、を更に含んでいる請求項５３乃至５７の何れかに記載の方法。
【請求項５９】
掘削システムであって、
井戸中心部を有する掘削デッキと、
掘削デッキに配置され、掘削作業及び該掘削作業の補助作業を同時に行なう掘削構造と、
掘削構造に配備され、第１チューブ状体を井戸中心部へ前進させる１次チューブ状体前進ステーションと、
掘削構造に配備され、第１チューブ状体を前進させる１次チューブ状体前進ステーションと同時に第２チューブ状体を取り扱う補助チューブ状体取扱いステーションと、
補助チューブ状体取扱いステーションに隣接して配置され、第２チューブ状体を、略水平位置から、補助チューブ状体取扱いステーション上方の略垂直位置まで案内する経路案内アームと、を具えており、
第１チューブ状体は、第１チューブ状体が掘削デッキを越えて井戸中心部へ移動する際、補助チューブ状体取扱いステーション及び経路案内アームとは接触しない、掘削システム。